(57)【特許請求の範囲】
【請求項１】
映像を画面を表示する液晶表示パネルと、
上記液晶表示パネルの背面に配置されて同液晶表示パネルに拡散光を照射する拡散板と、上記拡散板の背面側に略平行に配列して設置され、上記拡散板の背面に光を照射するための複数の冷陰極管と、上記複数の冷陰極管の背面側に設置され、同複数の冷陰極管から照射された光を上記拡散板に反射する反射板と、により構成される直下型バックライト装置と、
上記直下型バックライト装置に交流電圧を供給するインバータ部と、
を備えつつ、テレビ放送を受信して対応する映像を上記画面に表示する液晶テレビジョン装置において、
上記冷陰極管は、隣り合う２本の直管を接続した擬似Ｕ字管であり、上記直下型バックライト装置の一方の縁に沿って並ぶ端子より上記インバータ部から交流電圧が供給され、配列間隔が略中央から縁部に向かって徐々に広くなるように設置され、
配列方向の略中心付近に位置する冷陰極管は、長さ方向における略中央が上記拡散板に近づくようなへの字型に屈曲されるとともに、配列方向の外縁部付近に位置する冷陰極管は、まっすぐのままとされ、
上記反射板は、上記冷陰極管の屈曲に合わせて屈曲され、
上記反射板は、配列方向の略中央付近に位置する冷陰極管を上記拡散板に向かって凸型に持ち上げるように凸部が形成され、同凸部は上記拡散板と上記反射板とにより形成される空間の三分の一以下の高さまで持ち上げ可能とされることを特徴とする液晶テレビジョン装置。
【請求項２】
表示パネルの背面に配置されて同表示パネルに拡散光を照射する拡散板と、
上記拡散板の背面側に略平行に配列して設置され、上記拡散板の背面に光を照射するための複数の蛍光管と、
上記複数の蛍光管の背面側に設置され、上記複数の蛍光管から照射された光を上記拡散板に反射する反射板と、
を備える直下型バックライト装置において、
上記複数の蛍光管は、配列方向の略中心付近に位置する蛍光管は、長さ方向における略中央が上記拡散板に近づくように屈曲され、配列方向の外縁部付近に位置する蛍光管は、まっすぐのままとされ、
上記反射板は、上記蛍光管の屈曲に合わせて屈曲されることを特徴とする直下型バックライト装置。
【請求項３】
上記複数の蛍光管は、配列間隔が略中央から縁部に向かって徐々に広くなるように設置されることを特徴とする上記請求項２に記載の直下型バックライト装置。
【請求項４】
上記反射板は、上記複数の蛍光管の配列方向において、略中央付近が上記拡散板に向かって持ち上げるように形成されることを特徴とする上記請求項２または請求項３に記載の直下型バックライト装置。
【請求項５】
上記反射板は、上記蛍光管の設置される空間の高さの三分の一以下の高さまで持ち上げ可能とすることを特徴とする上記請求項４に記載の直下型バックライト装置。
【請求項６】
上記蛍光管は、直管であることを特徴とする上記請求項２〜請求項５のいずれか１項に記載の直下型バックライト装置。
【請求項７】
上記蛍光管は、Ｕ字管であることを特徴とする上記請求項２〜請求項５のいずれか１項に記載の直下型バックライト装置。
【請求項８】
上記蛍光管は、２本の直管を接続した擬似Ｕ字管であることを特徴とする上記請求項２〜請求項７のいずれか１項に記載の直下型バックライト装置。
【発明の詳細な説明】
【技術分野】
【０００１】
本発明は、直下型バックライト装置および液晶テレビジョン装置に関し、特に液晶テレビジョン装置は直下型バックライト装置を採用したものに関する。
【背景技術】
【０００２】
一般に、画面から距離をおいて視聴される表示装置、特にテレビジョン装置などにおいては、中央部分に視聴者の意識が集中しやすく、周縁部と比較して中央が明るいほうが画質がよいと感じる傾向がある。このような実情を鑑みて、テレビジョン装置は中央に比べて周縁部のほうが３０％ほど暗めに設定されている。この傾向は、むろん、液晶表示装置や液晶テレビジョン装置においても同様である。従って、直下型バックライト装置を採用した液晶表示装置や液晶テレビジョン装置では、直管を並べただけのバックライトを採用すると、視聴者が画質に不満を持つ可能性があった。
このような視聴者の要求にこたえるため、従来においては、Ｕ字管を向かい合わせで配置し、中央部を持ち上げることにより、画面中央部の輝度を高くするなどの工夫がなされていた。また、特許文献１にはＵ字管のみならず、Ｗ型に成型された蛍光管や、折り曲げ回数を増やした蛍光管などを使用して発行面の中央部付近を明るくする発行装置について開示されている。また、特許文献２には、蛍光管の配列間隔を表示画面中央部付近で周辺部分よりも狭くして設置したり、表示画面の中央部付近に設置された蛍光管が周辺部分に設置される蛍光管に比較して拡散板に近接させて設置したり、蛍光管の長さ方向に沿って断面が山形状の反射板を設置したりすることにより、表示画面中央部付近の輝度を高めたバックライト装置および液晶表示装置について開示されている。
【特許文献１】特開２００４−３２７１６５号
【特許文献２】特開２００５−３４７０６２号
【発明の開示】
【発明が解決しようとする課題】
【０００３】
上述した従来の技術では、蛍光管の使用本数により、インバータ駆動の方式が、各蛍光管に対して一個のインバータとするか、２つの蛍光管を接続して擬似Ｗ管とすることにより２本に１個のインバータとするか、となる。各蛍光管に１つのインバータを使用すると、インバータ基板が左右に必要になるとともに、必要なインバータが増加してしまう。一方、Ｕ字管を２本で一個とする擬似Ｗ管を採用すると、Ｗ字の中央部と両端とで輝度ムラが発生しやすいという問題があった。
【０００４】
また、特許文献１に記載の技術では、蛍光管の形状が特殊なため、コストアップが避けられなかった。また、特許文献２には、蛍光管の長さ方向については対策がなされていたが、蛍光管の幅方向の輝度ムラについては考慮されていなかった。
本発明は、上記課題にかんがみてなされたもので、発光面の中央付近における輝度を高めることにより、本願発明の直下型バックライト装置を採用した液晶表示装置や、液晶テレビジョン装置において、ユーザが視聴する際に輝度ムラを感じにくくすることを目的とする。
【課題を解決するための手段】
【０００５】
上記課題を解決するために、本発明の請求項１にかかる発明では、映像を画面を表示する液晶表示パネルと、上記液晶表示パネルの背面に配置されて同液晶表示パネルに拡散光を照射する拡散板と、上記拡散板の背面側に略平行に配列して設置され、上記拡散板の背面に光を照射するための複数の冷陰極管と、上記複数の冷陰極管の背面側に設置され、同複数の冷陰極管から照射された光を上記拡散板に反射する反射板と、により構成される直下型バックライト装置と、上記直下型バックライト装置に交流電圧を供給するインバータ部と、を備えつつ、テレビ放送を受信して対応する映像を上記画面に表示する液晶テレビジョン装置において、上記冷陰極管は、隣り合う２本の直管を接続した擬似Ｕ字管であり、上記直下型バックライト装置の一方の縁に沿って並ぶ端子より上記インバータ部から交流電圧が供給され、配列間隔が略中央から縁部に向かって徐々に広くなるように設置され、配列方向の略中心付近に位置する冷陰極管は、長さ方向における略中央が上記拡散板に近づくようなへの字型に屈曲されるとともに、配列方向の外縁部付近に位置する冷陰極管は、まっすぐのままとされ、上記反射板は、上記冷陰極管の屈曲に合わせて屈曲され、上記反射板は、配列方向の略中央付近に位置する冷陰極管を上記拡散板に向かって凸型に持ち上げるように凸部が形成され、同凸部は上記拡散板と上記反射板とにより形成される空間の三分の一以下の高さまで持ち上げ可能とされる構成としてある。
【０００６】
また、上記目的を達成するための本発明の他の一態様として、表示パネルの背面に配置されて同表示パネルに拡散光を照射する拡散板と、上記拡散板の背面側に略平行に配列して設置され、上記拡散板の背面に光を照射するための複数の蛍光管と、上記複数の蛍光管の背面側に設置され、上記複数の蛍光管から照射された光を上記拡散板に反射する反射板と、を備える直下型バックライト装置において、上記複数の蛍光管は、配列方向の略中心付近に位置する蛍光管は、長さ方向における略中央が上記拡散板に近づくように屈曲され、配列方向の外縁部付近に位置する蛍光管は、まっすぐのままとされ、上記反射板は上記蛍光管の屈曲に合わせて屈曲される構成としてある。
【０００７】
また、上記反射板は上記蛍光管の屈曲に合わせて屈曲されてもよい。
【０００８】
また、上記複数の蛍光管は配列間隔が略中央から縁部に向かって徐々に広くなるように設置されてもよい。
【０００９】
また、上記反射板は上記複数の蛍光管の配列方向において、略中央付近が上記拡散板に向かって持ち上げるように形成されてもよい。
【００１０】
また、上記反射板は上記蛍光管の設置される空間の高さの三分の一以下の高さまで持ち上げ可能としてもよい。
【００１１】
また、上記蛍光管は直管としてもよい。
【００１２】
また、上記蛍光管はＵ字管としてもよい。
【００１３】
また、上記蛍光管は２本の直管を接続した擬似Ｕ字管としてもよい。
【発明の効果】
【００１４】
以上説明したように本発明によれば、蛍光管５１の略中央より発せられる光の輝度を、蛍光管５１の端部より発せられる光の輝度よりも高くすることにより、本願発明の直下型バックライト装置を採用した液晶表示装置や、液晶テレビジョン装置において、ユーザが視聴する際に輝度ムラを感じにくい直下型バックライト装置を提供することができる。また、への字型に屈曲させる蛍光管は、配列方向の略中心付近に位置する蛍光管のみとするとともに、配列方向の外縁部付近に位置する蛍光管はまっすぐのままとすると、画面上下方向においても略中央より発せられる光の輝度が上昇して好適である。
【００１５】
また請求項３，４にかかる発明によれば、さらにユーザが視聴する際に輝度ムラを感じにくい直下型バックライト装置を提供することができる。
そして請求項５にかかる発明によれば、蛍光管に沿って表示装置に横縞が発生することを防ぐことが出来る。
さらに請求項６にかかる発明によれば、直管を使用するため、端部に比べて中央部が明るくなるとともに、蛍光管の単価が下がり、コストダウンにつながる。
また請求項７かかる発明によれば、Ｕ字管を使用しつつ、ユーザが視聴する際に輝度ムラを感じにくい直下型バックライト装置を提供することができる。
そして請求項８にかかる発明によれば、Ｕ字管ではなく擬似Ｕ字管を使用することにより、端部に比べて中央部が明るくなるとともに、ハーネスの長さ不均一や、ハーネスの長さが長くなりすぎることによる蛍光管のちらつきなども回避することが出来る。さらに直管を使用するため、蛍光管の単価が下がり、コストダウンにつながる。
さらに請求項１のような、より具体的な構成において、上述した請求項２〜請求項８の各発明と同様の効果を奏することはいうまでもない。
【発明を実施するための最良の形態】
【００１６】
以下、下記の順序に従って本発明の実施形態を説明する。
（１）液晶テレビジョン装置の概略構成：
（２）直下型バックライト装置の構成：
（３）まとめ：
【００１７】
（１）液晶テレビジョン装置の概略構成： 
以下、本発明の一実施形態にかかるテレビジョンについて説明する。
図１は、テレビジョン１００を斜め前方より見た斜視図である。同図において、テレビジョン１００は、キャビネット１０と液晶表示パネル２８と脚部２０とから構成されている。液晶表示パネル２８は、映像を画面に表示する平坦な表示面を前面に向けて設置される。キャビネット１０は、樹脂製であり、液晶表示パネル２８をその表示面が前面側に露出するように保持しつつ、同キャビネット内部に音声を出力するスピーカ（不図示）が設置される。脚部２０は、液晶表示パネル２８の表示面が略鉛直に配向するようにキャビネット１０を支持する。
【００１８】
図２は、本発明の実施形態にかかるテレビジョン１００の概略構成を示すブロック図である。テレビジョン１００は、概略、アンテナ２２ａの接続されたチューナ部２２と、画像データ生成部２４と、パネル駆動部２６と、液晶表示パネル２８と、電源部３４と、マイコン３６と、インバータ部３２と、バックライト装置３０とからなる。上記構成においてマイコン３６は、テレビジョン１００を構成する各部と電気的に接続しており、マイコン３６内部の構成部品としてのＣＰＵが、同じくマイコン３６の構成部品であるＲＯＭやＲＡＭなどに書き込まれた各プログラムに従って、テレビジョン１００全体を制御する。
【００１９】
チューナ部２２は、マイコン３６の制御によりアンテナ２２ａよりテレビ放送を受信し、所定の信号増幅処理等を行いつつ、テレビジョン放送信号から中間周波信号としての映像信号を抽出し、画像データ生成部２４へ出力する。画像データ生成部２４は、入力された映像信号をその信号レベルに応じてデジタル化するとともに、映像信号から抽出した輝度信号と色差信号とに基づいてマトリクス変換処理を行ない、画像データとしてのＲＧＢ（レッド、グリーン、ブルー）信号を生成する。
【００２０】
パネル駆動部２６では、画像データ生成部２４から上記ＲＧＢ信号を入力されると、ＲＧＢ信号に対して液晶表示パネル２８の画素数（横縦比、ｍ：ｎ）に合わせたスケーリング処理を行い、液晶表示パネル２８に表示する１画面分の画像データを生成する。そして、このように生成された画像データを液晶表示パネル２８に出力することにより、液晶表示パネル２８に画像データに基づく画像表示をさせる。
【００２１】
電源部３４は、外部の商用電源等から電源電圧（交流）の供給を受けるとともに、同供給された電源電圧を、マイコン３６を始めインバータ部３２等へ供給する。電源部３４は、必要に応じて各部へ供給する電圧を交流から直流へと変換する。
インバータ部３２は、電源部３４から供給された直流電圧を交流電圧に変換するとともに昇圧してバックライト装置３０に供給して点灯させる。バックライト装置３０は、冷陰極管などの蛍光管を光源として、液晶表示パネル２８を背面から照射する。
【００２２】
（２）直下型バックライト装置の構成： 
図３はバックライト装置３０の構造を示す模式図である。同図において、バックライト装置３０は、概略、反射板５０と、蛍光管５１と、拡散板５３と、ランプホルダー５２と、調光シート５４とから構成される。
【００２３】
蛍光管５１は、拡散板５３の背面側に略平行に配列して設置され、ランプホルダー５２により両端部付近が覆われた状態で反射板５０上に固定されて、拡散板５３の背面に光を照射する。
反射板５０は、金属フレーム５０ａの内部に反射シート５０ｂが敷かれて反射板５０を構成され、反射シート５０ｂの上に複数本の蛍光管５１がセットされる。また、反射板５０は、蛍光管５１の背面側に設置され、蛍光管５１から照射された光を拡散板５３に反射する。
拡散板５３は、液晶表示パネル２８の背面に配置されて蛍光管５１からの直射光および反射板５０からの反射光が照射され、同照射された光を拡散して液晶表示パネル２８に向けて拡散光を照射する。
調光シート５４は、表示画面を明るくする為のレンズシートや光を拡散する為の拡散シートなどの調光機能を持つ複数枚の機能性シートから構成され、拡散板５３より照射される拡散光を調光して液晶表示パネル２８に照射する。
【００２４】
図４〜６に、本実施形態におけるバックライト装置の蛍光管の配置を詳細に示した。図４は、直下型バックライト装置における蛍光管配置の正面図、図５は、直下型バックライト装置のいずれかの蛍光管に沿って左右に横切る断面にて示した蛍光管配置の断面図、図６は、直下型バックライト装置の発光面を正面に見て略中央を上下に横切る断面にて示した蛍光管配置の断面図である。
【００２５】
図５のように、蛍光管５１は、長さ方向における略中央が拡散板５３に近づくようなへの字型に屈曲される。つまり、蛍光管５１の略中央が、蛍光管５１の端部よりも液晶表示パネル２８の表示面に近づくように屈曲される。すなわち、蛍光管５１の略中央より発せられる光は、蛍光管５１の端部より発せられる光よりも短い距離で液晶表示パネル２８に達することになる。従って蛍光管５１の略中央より発せられる光は、蛍光管５１の端部より発せられる光よりも輝度が高くなる。
【００２６】
また、への字型に屈曲させる蛍光管は、配列方向の略中心付近に位置する蛍光管のみとするとともに、配列方向の外縁部付近に位置する蛍光管はまっすぐのままとすると、好適である。つまり、図４において、蛍光管５１ｃ〜５１ｆの４本をへの字型とするとともに蛍光管５１ａ，５１ｂ，５１ｇ，５１ｈはまっすぐのまま使用する。むろんへの字型とする蛍光管は中央部付近の２本のみとし、その他の蛍光管はまっすぐとする組み合わせでも構わない。これにより、蛍光管の配列方向においても、外縁部に比べて中央部付近が液晶表示パネル２８に近くなることになり、画面中央付近のみを明るくすることが可能となる。
【００２７】
さらに、蛍光管５１を屈曲させるとともに、反射板５０も蛍光管５１の屈曲に合わせて持ち上げるように屈曲させてもよい。つまり、蛍光管５１の長さ方向における略中央付近において、反射板５０を液晶表示パネル２８の表示面に近づくように形成する。すなわち、上記略中央付近より反射される光は、反射板５０の側方より反射される光よりも短い距離で液晶表示パネル２８に到達する。従って反射板５０の上記略中央付近より反射される光は、上記側方より反射される光よりも輝度が高くなる。反射板５０の屈曲のされ方としては、滑らかな山なりに持ち上げてもよいし、液晶表示パネル２８の面と平行な面を複数組み合わせ、段状に形成してもよい。
【００２８】
図４のように、蛍光管５１ａ〜５１ｈは、配列間隔が略中央から縁部に向かって徐々に広くなるように設置される。つまり、蛍光管５１ｆと５１ｅとで形成される擬似Ｕ字管と、蛍光管５１ｃと５１ｄとで形成される擬似Ｕ字管と、の距離をＡ、蛍光管５１ｆと５１ｅとで形成される擬似Ｕ字管と、蛍光管５１ｇと５１ｈとで形成される擬似Ｕ字管と、の距離をＣ、蛍光管５１ｃと５１ｄとで形成される擬似Ｕ字管と、蛍光管５１ａと５１ｂとで形成される擬似Ｕ字管と、の距離をＢ、とすると、Ａ＞Ｂ＝Ｃとなっている。
【００２９】
また、図６のように、反射板５０には、蛍光管５１ａ〜５１ｈの配列される方向において略中央付近に位置する蛍光管を拡散板５３に向かって凸型に持ち上げるような凸部５８が形成される。つまり、反射板５０のうち、蛍光管５１ａ，５１ｂ，５１ｇ，５１ｈの背面に相当する部分よりも、蛍光管５１ｃ〜５１ｆの下面に相当する部分の方が、液晶表示パネル２８に近づくように形成される。
【００３０】
むろん、持ち上げる部分は蛍光管５１ｃ〜５１ｆの４本でなく、蛍光管５１ｄ、５１ｅの２本であってもよいし、いずれか一本であってもよいし、６本を持ち上げても無論構わない。また、持ち上げ方も２段階でなく、３段階であってもよいし、４段階であってもよいし、中央よりも側方が低くなるのであれば任意の段数を選択可能である。
【００３１】
ただし、反射板５０は、蛍光管５１ａ〜５１ｈの設置される空間、すなわち反射板５０と拡散板５３とにより形成される空間、の高さの三分の一以下の高さまで持ち上げ可能とする。つまり、反射板５０から拡散版５３までの距離を３ｘとすると、凸部５８の面の反射板５０の面からの距離は、最大ｘまで採用可能とする。一般に３ｘ＝３４〜３５ｍｍであるので、ｘとしては１０ｍｍくらいまで採用可能である。すなわち、蛍光管５１と液晶表示パネル２８の距離が近づきすぎないため、液晶表示パネル２８の蛍光管５１の各位置に横縞が現れることがなくなる。
【００３２】
また、図４に示すように、蛍光管８１ａ〜８１ｈは、直管とされ、隣り合う２本の蛍光管が一方の端にてハーネス５６ａ〜５６ｄにて互いに接続されることにより擬似Ｕ字管となる。そして、他方の端部がインバータ部３２に接続されて交流電圧が供給される。これにより、コネクタ５７ａ〜５７ｄへ接続される端子は、バックライト装置３０の左右いずれか一方に沿って並ぶことになる。従って、インバータ部３２を実現する基板などは、バックライト装置３０のいずれか一方の端にのみ形成すればよくなる。
【００３３】
また、ハーネスを介してコネクタ５７ａ〜５７ｄに接続される端子を一方の端部にまとめることにより、同ハーネスの長さ不均一や、同ハーネスの長さが長くなりすぎることによる蛍光管のちらつきなども回避することが出来る。また、Ｕ字管では屈曲部が最も明るくなるため図４のような配置でＵ字管を使用するとＵ字管の屈曲部分に対応する端部が最も明るくなってしまうが、Ｕ字管ではなく擬似Ｕ字管を使用することにより、端部に比べて中央部が明るくなる。さらに直管を使用するため、蛍光管の単価が下がり、コストダウンにつながる。
【００３４】
むろん、蛍光管としては、擬似Ｕ字管ではなく、Ｕ字管を使用しても、本願の目的を達することは可能であるし、擬似Ｕ字管ではなく、直管の両端にてそれぞれにインバータより電圧が供給される構成であっても本願の目的を達することは可能であるのは無論である。
【００３５】
（３）まとめ： 
つまり、蛍光管５１は、配列間隔が略中央から縁部に向かって徐々に広くなるように設置され、配列方向の略中心付近に位置する蛍光管５１は、長さ方向における略中央が拡散板５３に近づくようなへの字型に屈曲されるとともに、配列方向の外縁部付近に位置する蛍光管５１は、まっすぐのままとされ、隣り合う２本の直管の蛍光管５１を接続して擬似Ｕ字管とし、直下型バックライト装置３０の一方の縁に沿って並ぶ端子よりインバータ部３２から交流電圧が供給される。反射板５０は、蛍光管５１の屈曲に合わせて屈曲され、配列方向の略中央付近に位置する蛍光管５１を拡散板５３に向かって凸型に持ち上げるように凸部が形成される。
【００３６】
以上説明したように、本実施例に対応する請求項２にかかる直下型バックライト装置では、表示パネルの背面に配置されて同表示パネルに拡散光を照射する拡散板と、上記拡散板の背面側に略平行に配列して設置され、上記拡散板の背面に光を照射するための複数の蛍光管と、上記複数の蛍光管の背面側に設置され、上記複数の蛍光管から照射された光を上記拡散板に反射する反射板と、を備える直下型バックライト装置において、上記複数の蛍光管は、配列方向の略中心付近に位置する蛍光管は、長さ方向における略中央が上記拡散板に近づくように屈曲され、配列方向の外縁部付近に位置する蛍光管は、まっすぐのままとされ、上記反射板は上記蛍光管の屈曲に合わせて屈曲される構成としてある。
該構成によれば、蛍光管５１の略中央より発せられる光の輝度を、蛍光管５１の端部より発せられる光の輝度よりも高くすることにより、本願発明の直下型バックライト装置を採用した液晶表示装置や、液晶テレビジョン装置において、ユーザが視聴する際に輝度ムラを感じにくい直下型バックライト装置を提供することができる。また、への字型に屈曲させる蛍光管は、配列方向の略中心付近に位置する蛍光管のみとするとともに、配列方向の外縁部付近に位置する蛍光管はまっすぐのままとすると、画面上下方向においても略中央より発せられる光の輝度が上昇して好適である。
【００３８】
また、上記複数の蛍光管は配列間隔が略中央から縁部に向かって徐々に広くなるように設置されてもよい。
【００３９】
また、上記反射板は、上記複数の蛍光管の配列方向において、略中央付近が上記拡散板に向かって持ち上げるように形成されてもよい。
該構成によれば、さらにユーザが視聴する際に輝度ムラを感じにくい直下型バックライト装置を提供することができる。
【００４０】
また、上記反射板は上記蛍光管の設置される空間の高さの三分の一以下の高さまで持ち上げ可能としてもよい。
該構成によれば、蛍光管に沿って表示装置に横縞が発生することを防ぐことが出来る。
【００４１】
また、上記蛍光管は直管としてもよい。
該構成によれば、直管を使用するため、端部に比べて中央部が明るくなるとともに、蛍光管の単価が下がり、コストダウンにつながる。
【００４２】
また、上記蛍光管はＵ字管としてもよい。
該構成によれば、Ｕ字管を使用しつつ、ユーザが視聴する際に輝度ムラを感じにくい直下型バックライト装置を提供することができる。
【００４３】
また、上記蛍光管は２本の直管を接続した擬似Ｕ字管としてもよい。
該構成によれば、Ｕ字管ではなく擬似Ｕ字管を使用することにより、端部に比べて中央部が明るくなるとともに、ハーネスの長さ不均一や、ハーネスの長さが長くなりすぎることによる蛍光管のちらつきなども回避することが出来る。さらに直管を使用するため、蛍光管の単価が下がり、コストダウンにつながる。
【００４４】
また、以上の構成を踏まえたより具体的な構成例として、映像を画面を表示する液晶表示パネルと、上記液晶表示パネルの背面に配置されて同液晶表示パネルに拡散光を照射する拡散板と、上記拡散板の背面側に略平行に配列して設置され、上記拡散板の背面に光を照射するための複数の冷陰極管と、上記複数の冷陰極管の背面側に設置され、同複数の冷陰極管から照射された光を上記拡散板に反射する反射板と、により構成される直下型バックライト装置と、上記直下型バックライト装置に交流電圧を供給するインバータ部と、を備えつつ、テレビ放送を受信して対応する映像を上記画面に表示する液晶テレビジョン装置において、上記冷陰極管は、隣り合う２本の直管を接続した擬似Ｕ字管であり、上記直下型バックライト装置の一方の縁に沿って並ぶ端子より上記インバータ部から交流電圧が供給され、配列間隔が略中央から縁部に向かって徐々に広くなるように設置され、配列方向の略中心付近に位置する冷陰極管は、長さ方向における略中央が上記拡散板に近づくようなへの字型に屈曲されるとともに、配列方向の外縁部付近に位置する冷陰極管は、まっすぐのままとされ、上記反射板は、上記冷陰極管の屈曲に合わせて屈曲され、上記反射板は、配列方向の略中央付近に位置する冷陰極管を上記拡散板に向かって凸型に持ち上げるように凸部が形成され、同凸部は上記拡散板と上記反射板とにより形成される空間の三分の一以下の高さまで持ち上げ可能とされる構成としてもよい。
【００４５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４６】
【図１】本発明の実施形態にかかる液晶テレビジョン装置の外観図である。
【図２】本発明の実施形態にかかる液晶テレビジョン装置の概略構成ブロック図である。
【図３】本発明の実施形態にかかる直下型バックライト装置の斜視図である。
【図４】本発明の実施形態にかかる直下型バックライト装置における蛍光管配置の正面図である。
【図５】本発明の実施形態にかかる直下型バックライト装置における蛍光管配置の断面図である。
【図６】本発明の実施形態にかかる直下型バックライト装置における蛍光管配置の断面図である。
【符号の説明】
【００４７】
１００…液晶テレビジョン装置
１０…キャビネット
２０…脚部
２２…チューナ部
２４…画像データ生成部
２６…パネル駆動部
２８…液晶表示パネル
３０…バックライト装置
３２…インバータ
３４…電源部
３６…マイコン
５０…反射板
５１，５１ａ〜５１ｈ…蛍光管（冷陰極管）
５２…ランプホルダー
５３…拡散板
５４…調光シート
５５…モールドフレーム
５６、５６ａ〜５６ｄ…ハーネス
５７ａ〜５７ｄ…コネクタ
５８…凸部
【図１】
0004433205.tif 000002
【図２】
0004433205.tif 000003
【図３】
0004433205.tif 000004
【図４】
0004433205.tif 000005
【図５】
0004433205.tif 000006
【図６】
0004433205.tif 000007